(57)【要約】      （修正有）【課題】構造が簡易でマスクの収容や取出しを簡単に行うことができるマスクケースを提供する。【解決手段】マスクケース１０は、衛生マスクを収容するためのケースであって、シート材１に第一折り曲げ線２ａ及び第二折り曲げ線２ｂが設けられたものである。このシート材１は、第一折り曲げ線２ａと第二折り曲げ線２ｂの内側の中央領域１ａと、第一折り曲げ線２ａの外側の第一外領域１ｂと、第二折り曲げ線２ｂの外側の第二外領域１ｃに区画され、第一折り曲げ線２ａを谷折りして第一外領域１ｂを中央領域１ａ側に折りたたみ、第二折り曲げ線２ｂを谷折りして第二外領域２ｂを第一外領域１ｂ側に折りたたむことによって、中央領域１ａと第一外領域１ｂの間にマスク収容空間が形成されるように構成されている。【選択図】図１
0003228507.tif 000002
【実用新案登録請求の範囲】
【請求項１】
衛生マスクを収容するマスクケースにおいて、
シート材に第一折り曲げ線及び第二折り曲げ線が設けられ、
前記シート材は、前記第一折り曲げ線と第二折り曲げ線の内側の中央領域と、第一折り曲げ線の外側の第一外領域と、第二折り曲げ線の外側の第二外領域に区画され、
前記第一折り曲げ線を谷折りして第一外領域を中央領域側に折りたたみ、第二折り曲げ線を谷折りして第二外領域を第一外領域側に折りたたむことによって、当該中央領域と第一外領域の間にマスク収容空間が形成される、
ことを特徴とするマスクケース。
【請求項２】
請求項１記載のマスクケースにおいて、
シート材は、抗菌紙又はマスクが触れる面に抗菌加工が施された樹脂製シートである、
ことを特徴とするマスクケース。
【請求項３】
請求項１又は請求項２記載のマスクケースにおいて、
シート材にマスクの耳掛け部を係止する耳掛け係止部が設けられた、
ことを特徴とするマスクケース。
【請求項４】
請求項３記載のマスクケースにおいて、
耳掛け係止部がシート材の中央領域に設けられた、
ことを特徴とするマスクケース。
【請求項５】
請求項１から請求項４のいずれか１項に記載のマスクケースにおいて、
第一外領域と第二外領域のいずれか一方に差込み孔が設けられ、他方に当該差込み孔に差し込み可能な差込み片が設けられた、
ことを特徴とするマスクケース。
【請求項６】
請求項１から請求項５のいずれか１項に記載のマスクケースにおいて、
第一折り曲げ線を谷折りして第一外領域を中央領域側に折りたたみ、第二折り曲げ線を谷折りして第二外領域を第一外領域側に折りたたんだときに、当該中央領域と第一外領域の間に形成されるマスク収容空間の長手方向両外側が開口している、
ことを特徴とするマスクケース。
【考案の詳細な説明】
【技術分野】
【０００１】
本考案は、衛生マスク（以下、単に「マスク」という）を収容するマスクケースに関する。
【背景技術】
【０００２】
ウイルス感染対策や花粉症対策の一つとしてマスクが広く一般に利用されている。新型コロナウイルスが世界的な問題となっている今日では、一日の大半の時間をマスクを着用した状態で過ごすことが増えているが、飲食の際などにはマスクを外す必要がある。このとき、マスクをテーブルに直に置くのは不衛生であることから、何らかの対策を講じる必要がある。
【０００３】
従来、不使用時にマスクを収容しておくためのマスクケースとして、抗菌性を有する紙製の保護シートと、保護シートを挟み込む内側ケースと、内側ケースを挟み込む外側ケースを備えたもの（特許文献１）が知られている。このマスクケースは、マスクを保護シートで挟んだのち、その保護シートを内側ケースで挟み込み、その内側ケースを外側ケースで挟み込んでマスクを収容する。
【先行技術文献】
【特許文献】
【０００４】
【特許文献１】実用新案登録第３２２２１０３号公報
【考案の概要】
【考案が解決しようとする課題】
【０００５】
しかし、前記特許文献１記載のマスクケースは、マスクを保護シートで挟んだのち、当該保護シートを内側ケースで挟み、さらにその内側ケースを外側ケースに挟む必要があり、使い勝手の観点で改善の余地がある。
【０００６】
本考案はかかる事情に鑑みてなされたものであり、その解決課題は、構造が簡易でマスクの収容や取出しを簡単に行うことができるマスクケースを提供することにある。
【課題を解決するための手段】
【０００７】
本考案のマスクケースは、マスクを収容するためのケースであって、シート材に第一折り曲げ線及び第二折り曲げ線が設けられたものである。このシート材は、第一折り曲げ線と第二折り曲げ線の内側の中央領域と、第一折り曲げ線の外側の第一外領域と、第二折り曲げ線の外側の第二外領域に区画され、第一折り曲げ線を谷折りして第一外領域を中央領域側に折りたたみ、第二折り曲げ線を谷折りして第二外領域を第一外領域側に折りたたむことによって、中央領域と第一外領域の間にマスク収容空間が形成されるように構成されている。
【考案の効果】
【０００８】
本考案のマスクケースは、シート材を折りたたむだけの簡潔な構造であるため、マスクの収容や取出しを簡単に行うことができる。
【図面の簡単な説明】
【０００９】
【図１】本考案のマスクケースの一例を示す正面図。
【図２】（ａ）〜（ｄ）は図１に示すマスクケースの使用方法の説明図。
【考案を実施するための形態】
【００１０】
（実施形態）
本考案のマスクケース１０の一例を、図面を参照して説明する。本考案のマスクケース１０は不使用時や使用前後にマスクＸを収容しておくためのケースである。
【００１１】
一例として図１に示すマスクケース１０は、一枚のシート材１に二本の折り曲げ線２（説明の便宜上、以下では一方の折り曲げ線２を「第一折り曲げ線２ａ」と、他方の折り曲げ線を「第二折り曲げ線２ｂ」という）が設けられたものである。
【００１２】
この実施形態では、シート材１として縦３００ｍｍ×横２００ｍｍ×厚さ０．２ｍｍ程度の縦長方形状の樹脂製シート（ポリプロピレンシート）を用いている。シート材１のうち、マスク本体Ｘ１が触れる面には抗菌加工を施してある。具体的には、ＪＩＳＺ２８０１試験で抗菌性が認められた銀イオン配合のインキによる抗菌加工が施されている。
【００１３】
この実施形態のシート材１は、二本の折り曲げ線２の内側の中央領域１ａと、第一折り曲げ線２ａの外側の領域（以下「第一外領域」という）１ｂと、第二折り曲げ線２ｂの外側の領域（以下「第二外領域」という）１ｃに区画されている。このシート材１は、第一外領域１ｂ及び第二外領域１ｃは、それぞれの折り曲げ線２を谷折りすることで、中央領域１ａの上側に重ねられるようにしてある。
【００１４】
前記中央領域１ａはマスク本体Ｘ１を載せる部分である。中央領域１ａには、マスクＸの耳掛け部Ｘ２を係止するための耳掛け係止部３が設けられている。この実施形態では、中央領域１ａの二か所に半円状の切込みを形成し、当該切込みによって形成された半円形状の係止片を耳掛け係止部３としている。ただし、ここで示した耳掛け係止部３の構造は一例であり、耳掛け係止部３の構造はこれ以外であってもよい。
【００１５】
前記第一外領域１ｂは、中央領域１ａに載せられたマスク本体Ｘ１の上側に被せる部分である。第一外領域１ｂには後述する差込み片５を差し込むための差込み孔４が設けられている。この実施形態では、第一外領域１ｂに横長の一本の切込みを形成し、その切込みによって形成されたスリットを差込み孔４としている。差込み孔４を設ける位置は、差込み片５との関係で適宜調整することができる。なお、ここで示した差込み孔４の形状は一例であり、差込み孔４の形状はこれ以外であってもよい。
【００１６】
前記第二外領域１ｃは、第一外領域１ｂの上側に被せる部分である。第二外領域１ｃには、第一外領域１ｂに設けられた差込み孔４に差し込む差込み片５が設けられている。この実施形態では、第二外領域１ｃの一部を打ち抜き、打ち抜き後に残った半楕円形状の部分を差込み片５としている。
【００１７】
この実施形態の差込み片５には、差込み孔４の長さよりも寸法の大きな膨出部５ａが設けられ、差込み孔４に差し込んだ差込み片５が不用意に外れないようにしてある。なお、シート材１は可撓性を備えているため、差込み片５に膨出部５ａを設けても、差込み孔４への差込みが阻害されることはない。
【００１８】
以上のように構成された本実施形態のマスクケース１０は、第一折り曲げ線２ａを谷折りすることで第一外領域１ｂを中央領域１ａの上側に折りたたむことができ、第二折り曲げ線２ｂを谷折りすることで第二外領域１ｃを第一外領域１ｂの上側に折りたたむことができる。本実施形態のマスクケース１０は、折りたたんだ際に長手方向両端が開口しており、且つ、マスク本体Ｘ１を開いた状態で収容できるように構成されているため、内部に湿気がこもりにくく、マスク本体Ｘ１を良好な環境下で保管することができる。
【００１９】
（その他の実施形態）
前記実施形態では、シート材１がポリプロピレンシートの場合を一例としているが、シート材１にはポリプロピレンシート以外の樹脂製シートや、抗菌紙などの樹脂製以外の材質からなるものを用いることもできる。
【００２０】
前記実施形態では、第一外領域１ｂに差込み孔４が設けられ、第二外領域１ｃに差込み片５が設けられた場合を一例としているが、差込み孔４や差込み片５は、他の部分に設けることもできる。たとえば、中央領域１ａに差込み孔４を設け、当該差込み孔４に差し込み可能な差込み片５を第一外領域１ｂと第二外領域１ｃの双方又はいずれか一方に設けたり、中央領域１ａに差込み片５を設け、当該差込み片５を差し込み可能な差込み孔４を第一外領域１ｂと第二外領域１ｃの双方又はいずれか一方に設けたりすることができる。
【００２１】
前記実施形態では、差込み片５を差込み孔４に差し込むことによって第一外領域１ｂと第二外領域１ｃを止める場合を一例としているが、第一外領域１ｂと第二外領域１ｃの双方に斜めのスリットを形成し、当該スリット同士が重なるように第一外領域１ｂと第二外領域１ｃを重ねるなどして、両者を固定するようにしてもよい。場合によっては、ボタンや面状ファスナで固定するようにすることもできる。
【００２２】
前記実施形態では、中央領域１ａに耳掛け係止部３が設けられた場合を一例としているが、耳掛け係止部３は第一外領域１ｂや第二外領域１ｃなど、中央領域１ａ以外の位置に設けてもよい。
【００２３】
前記実施形態では説明を省略しているが、シート材１には任意のイラストや模様、文字、図形、記号などを描くこともできる。たとえば、シート材の任意の位置に会社名や会社のロゴマークなどを印刷し、ノベルティ商品として使用することができる。
【００２４】
前記実施形態に示すマスクケース１０は一例であり、本考案のマスクケース１０は、その要旨を逸脱しない範囲で種々の変更を加えることができる。
【００２５】
（使用方法）
次に、本考案のマスクケース１０の使用方法について説明する。ここでは、前記実施形態のマスクケース１０を用いる場合を一例とする。
（１）広げた状態のシート材１の抗菌加工面の中央領域１ａにマスク本体Ｘ１を載せる（図２（ａ））。
（２）前記（１）の状態から、第一折り曲げ線２ａを谷折りし、第一外領域１ｂを中央領域１ａに載せられたマスク本体Ｘ１の外側に被せる（図２（ｂ））。
（３）前記（２）の状態から、第二折り曲げ線２ｂを谷折りして第二外領域１ｃを第一外領域１ｂの外側に被せ、差込み片５を差込み孔４へ差し込む（図２（ｃ））。
（４）前記（３）の状態のままマスクケース１０を裏返し、保持されたマスクＸの耳掛け部Ｘ２を中央領域１ａの耳掛け係止部３に係止する（図２（ｄ））。
【００２６】
前記使用方法に示した手順は一例であり、本考案のマスクケース１０はこれ以外の手順で使用することもできる。たとえば、中央領域１ａにマスク本体Ｘ１を載せたのち、第一外領域１ｂを折りたたむ前に耳掛け部を耳掛け係止部３に係止し、その後に、第一外領域１ｂと第二外領域１ｃを順次重ね合わせてマスクＸを収容することもできる。
【産業上の利用可能性】
【００２７】
本考案のマスクケース１０は、使用中のマスクＸに限らず、使用前や使用後のマスクＸの持ち運びに利用することもできる。また、本考案のマスクケース１０は不織布などから構成される使い捨てのマスクＸに限らず、布製や各種機能性素材からなるマスクＸなどの収容にも用いることができる。
【符号の説明】
【００２８】
１      シート材
１ａ    中央領域
１ｂ    第一外領域
１ｃ    第二外領域
２      折り曲げ線
２ａ    第一折り曲げ線
２ｂ    第二折り曲げ線
３      耳掛け係止部
４      差込み孔
５      差込み片
５ａ    膨出部
１０    マスクケース
Ｘ      衛生マスク（マスク）
Ｘ１    マスク本体
Ｘ２    耳掛け部
【図１】
0003228507.tif 000003
【図２】
0003228507.tif 000004